(57)【特許請求の範囲】
【請求項１】
水平下地材と鉛直下地材がＬ字状に組まれ、その水平下地材上に、先端縁部に凸実が形成された床板がＬ字状の角部から所定間隔をあけて張られてなる段差部分に設けられる框であって、
前記Ｌ字状の角部を覆う、水平部分と鉛直部分とからなる断面Ｌ字状で、かつその水平部分が前記所定間隔の長さを有し、しかも前記床板より板厚の薄い薄板状ベース材と、および、該薄板状ベース材を覆う、水平部分と鉛直部分とからなる断面Ｌ字状で、かつその水平部分の端部が装着時には薄板状ベース材の端部との間で床板の凸実を上下から挾んで当接して取付けを強固にするとともにその際に水平部分の上面が床板の上面と面一になるように板厚が設定された薄板状化粧材と、を備えるとともに、薄板状化粧材が薄板状ベース材に着脱可能に固定されていることを特徴とする框。
【請求項２】
前記薄板状化粧材の鉛直部分の下端部内側には掛け部材が、その水平部分の下面には下方に突出する掛け条がそれぞれ一体結合され、しかも前記薄板状ベース材の鉛直部分の下端部外面には留め部材が、その水平部分の上面には上方に突出する留め条がそれぞれ一体結合され、薄板状ベース材に対する薄板状化粧材の着脱時には薄板状ベース材に対して薄板状化粧材が鉛直方向に移動することにより掛け部材が留め部材に、掛け条が留め条に着脱可能にそれぞれ掛止され、薄板状化粧材がその鉛直部分の板厚方向に移動不能に固定されることを特徴とする請求項１に記載の框。
【請求項３】
前記留め部材、掛け部材が、それぞれ断面Ｌ字の鈎状に形成されると共に、留め部材の窪みに掛け部材が差し込まれることによって掛止されるよう構成されていることを特徴とする請求項２に記載の框。
【請求項４】
前記留め条、掛け条のうち少なくともいずれか一方が、留め条への掛け部材の着脱時に容易に弾性変形可能に構成されていることを特徴とする請求項２又は３に記載の框。
【請求項５】
前記薄板状ベース材及び薄板状化粧材は樹脂製であることを特徴とする請求項１乃至４のうちいずれか一つに記載の框。
【発明の詳細な説明】
【０００１】
【発明の属する技術分野】
本発明は、玄関等に使用される上がり框や階段最上段部に使用される上段框等の框（かまち）に関するものである。
【０００２】
【従来の技術】
框の例として、玄関の土間部分と床部分との境界に使用される上がり框を例に説明すると、図６に示すように、框１は、床材（床板）３の端部が載せられた状態で固定される受け材２の前面に、框１の上面が床材３の上面と面一になるように取付けられている。
この上がり框１は、一般に床材３の施工と略同時に施工される。そのため、建築作業中、作業者や資材の出入が頻繁のため、人や物がぶつかって損傷するおそれがあり、通常は、それの保護のため、施工直後に段ボールやあり合わせの合板端材、養生テープ等の養生材で覆われる。
【０００３】
【発明が解決しようとする課題】
しかしながら、養生が行われたとしても、なお、次のような問題点がある。
（ア）床材３の厚さや框１の寸法に合わせて受け材２の取付け高さ等周辺部材の位置や寸法をいちいち設定しなければならない等、作業が煩雑であり、しかも、框１の断面が複雑であるため、それに合わせて養生材を取付けるのにかなりの手間が掛かる。
【０００４】
（イ）養生材の固定が不十分であると、そのうえを歩く人が滑って転ぶことがあり、反対に養生を十分にしようとするとその厚さが大となって、突出し、歩行者の足が引っ掛かって転倒することがあり危険である。
（ウ）養生材の隙間からごみや水が侵入し、框１に傷を付けたり、カビが生えたり、変色したりすることがある。また、養生材の固定のためのテープによる化粧材の剥離、粘着成分の残留による汚染を生じることがある。そのうえ、養生材で覆われている部分とそうでない部分との間に日焼けによる色むらが生じる。
【０００５】
（エ）框１は釘や接着材で下地に強固に固定されるため、必要があっても、撤去・交換が困難である。また、施工の不具合や床材３の収縮等による床材３と框１との間に段差や隙間が生じやすい。そのうえ、框１自体が大きく、重く、運搬時に過って他の物体と衝突して、傷付けたり、傷付けられたりする。
【０００６】
そこで本発明の目的とするところは、上記従来例の欠点を解消した、基本的には養生が不要で、それに伴う、手間が掛かる、危険、損傷、汚染、かび・色むらの発生等の問題がなく、軽量で、取付け容易で安価な框を提供することにある。
【０００７】
【課題を解決するための手段】
上記の目的を達するために請求項１に記載に係る発明は、水平下地材（３１）と鉛直下地材（３２）がＬ字状に組まれ、水平下地材（３１）上に、先端縁部に凸実（３６）が形成された床板（３５）がＬ字状の角部から所定間隔をあけて張られてなる段差部分（３０）に設けられる框（１０）であって、Ｌ字状の角部を覆う、水平部分（１１ｂ）と鉛直部分（１１ａ）とからなる断面Ｌ字状で、かつその水平部分（１１ｂ）が所定間隔の長さを有し、しかも床板（３５）より板厚の薄い薄板状ベース材（１１）と、および、薄板状ベース材（１１）を覆う、水平部分（１５ｂ）と鉛直部分（１５ａ）とからなる断面Ｌ字状で、かつその水平部分（１５ｂ）の端部が装着時には薄板状ベース材（１１）の端部との間で床板（３５）の凸実（３６）を上下から挾んで当接して取付けを強固にするとともにその際に水平部分（１５ｂ）の上面が床板（３５）の上面と面一になるように板厚が設定された薄板状化粧材（１５）と、を備えるとともに、薄板状化粧材（１５）が薄板状ベース材（１１）に着脱可能に固定されていることを特徴とする。
【００１０】
また請求項２の発明は、請求項１の発明の構成に加えて、薄板状化粧材（１５）の鉛直部分（１５ａ）の下端部内側には掛け部材（Ｋ１）が、その水平部分（１５ｂ）の下面には下方に突出する掛け条（Ｋ２）がそれぞれ一体結合され、しかも薄板状ベース材（１１）の鉛直部分（１１ａ）の下端部外面には留め部材（Ｔ１）が、その水平部分（１１ｂ）の上面には上方に突出する留め条（Ｔ２）がそれぞれ一体結合され、薄板状ベース材（１１）に対する薄板状化粧材（１５）の着脱時には薄板状ベース材（１１）に対して薄板状化粧材（１５）が鉛直方向に移動することにより掛け部材（Ｋ１）が留め部材（Ｔ１）に、掛け条（Ｋ２）が留め条（Ｔ２）に着脱可能にそれぞれ掛止され、薄板状化粧材（１５）がその鉛直部分（１５ａ）の板厚方向に移動不能に固定されることを特徴とする。
【００１１】
また請求項３の発明は、請求項２の発明の構成に加えて、留め部材（Ｔ１）、掛け部材（Ｋ１）が、それぞれ断面Ｌ字の鈎状に形成されると共に、留め部材（Ｔ１）の窪みに掛け部材（Ｋ１）が差し込まれることによって掛止されるよう構成されている。
【００１２】
また請求項４の発明は、請求項２又は３の発明の構成に加えて、留め条（Ｔ２）、掛け条（Ｋ２）のうち少なくともいずれか一方が、留め条（Ｔ２）への掛け部材（Ｋ２）の着脱時に容易に弾性変形可能に構成されている。
【００１３】
なお、請求項５の発明のように薄板状ベース材（１１）及び薄板状化粧材（１５）は樹脂製であることが好ましい。
【００１４】
なお、上記の課題を解決するための手段に記載された括弧内の記号は後述する図面及び発明の実施の形態に記載された記号に対応する。
【００１５】
請求項１の発明によれば、下地には、単純な床材下地材がそのまま使用可能であり、框の設置のために特別の窪みを設ける必要はない。
框は薄板状ベース材と薄板状化粧材とで構成され、薄板状ベース材を覆う薄板状化粧材は薄板状ベース材に対して着脱可能であり、建築作業の最終段階で取付けることが出来るため、養生は基本的には不要であり、それに伴う手間が掛かる、危険、損傷、汚染、かび・色むらの発生等の多くの問題が解消される。
【００１７】
また請求項１の発明によれば、薄板状化粧材の水平部分の端部が装着時には薄板状ベース材の端部との間で床板に形成された凸実を挾むようにされているので框の取付けを強固にすることができる。また、薄板状化粧材の水平部分の上面は床板の上面と面一になるようにされ段差がないのでつまずく等の問題はない。
【００１８】
請求項２の発明によれば、請求項１の発明の作用効果に加えて、薄板状ベース材の留め部材と留め条に、薄板状化粧材の掛け部材と掛け条とを当接させ、鉛直下方に薄板状化粧材の本体を薄板状ベース材に押し付けると掛け部材と掛け条とが留め部材と留め条にそれぞれ掛止され、簡単に着脱可能に固定することが可能である。
【００１９】
請求項３の発明によれば、請求項２の発明の作用効果に加えて、薄板状ベース材の留め部材の窪みに薄板状化粧材の掛け部材を差し込むことによって、薄板状化粧材の端部を、それに対応する薄板状ベース材の端部に着脱可能に容易に固定することが出来る。
【００２０】
請求項４の発明によれば、請求項２又は３の発明の作用効果に加えて、留め条、掛け条のうち少なくともいずれか一方が、着脱時に容易に弾性変形可能にされているので、薄板状化粧材の薄板状ベース材への固定がさらに容易確実になると共に、取外しも一層容易になる。
【００２１】
請求項５の発明によれば、框を構成する薄板状ベース材および薄板状化粧材としてプラスチックの押出成型品を採用可能であるので、コストが著しく低減される。
【００２２】
【発明の実施の形態】
（第１実施形態）
本発明の第１実施形態例に係る框について図１を参照して説明する。図１はその断面図である。
図１に示すように、根太２０の上面及び前面にそれぞれ合板よりなる水平下地材３１の前端部及び鉛直下地材３２の上端部がＬ字状に組まれるようにして取付けられてなる段差部分３０が形成されている。水平下地材３１の上には、水平下地材３１と鉛直下地材３２が組まれたＬ字状の角部から所定間隔をあけて床板３５が張られている。
【００２３】
段差部分３０を覆う框１０は次のように構成される。すなわち、床板３５の先端部（前端部）から水平前方に延び、段差部分３０の角部で屈折し、鉛直下方に延びる断面Ｌ字状の板厚の薄い薄板状ベース材１１が釘Ｎで固定されている。さらに、その薄板状ベース材１１には、それを覆うよう、一定の間隔をあけて断面Ｌ字状の薄板状化粧材１５が、後述する手段により着脱可能に固定されている。
【００２４】
薄板状ベース材１１及び薄板状化粧材１５について詳細に説明する。先者の薄板状ベース材１１は、水平部分１１ｂと鉛直部分１１ａとからなる断面Ｌ字状で、かつその水平部分１１ｂが所定間隔以下の長さを有し、しかも床板３５より板厚が薄くなるように構成されている。また、後者の薄板状化粧材１５は、同じく水平部分１５ｂと鉛直部分１５ａとからなる断面Ｌ字状で、かつ取付時にその水平部分１５ｂの端部が床板３５の先端縁部上面を覆うようになっている。
【００２５】
薄板状ベース材１１の鉛直部分１１ａの下端部外側には断面が上向きＬ字の鈎状に形成された留め部材Ｔ１が一体に結合されており、薄板状化粧材１５の鉛直部分１５ａの下端部内側には、薄板状ベース材１１の留め部材Ｔ１の窪みに上方から差し込まれ、掛止されるような断面が下向きＬ字の鈎状に形成された掛け部材Ｋ１が一体に結合されている。
なお、薄板状化粧材１５の鉛直部分１５ａの内面で薄板状ベース材１１との間に適当なスペーサを設けて空間を埋めるようにしてもよい。
【００２６】
次に、薄板状ベース材１１の水平部分１１ｂの上面には、水平幅方向（図１の紙面の表裏方向）に延びる、断面くの字状、前後一対の留め条Ｔ２，Ｔ２が前後方向（図１の紙面の左右方向，薄板状化粧材１５の鉛直部分１５ａの板厚方向）に間隔をあけて、かつ上方に向かって一体に突設されており、その各留め条Ｔ２に対応し、薄板状化粧材１１の水平部分１１ｂの下面には、水平幅方向に延び、下端が留め条Ｔ２に向かって突出した掛け条Ｋ２が、下方に向かって一体に突設されている。
そして、薄板状ベース材１１に対する薄板状化粧材１５の着脱時には薄板状ベース材１１に対して薄板状化粧材１５が鉛直方向に移動することにより掛け部材Ｋ１が留め部材Ｔ１に、掛け条Ｋ２が留め条Ｔ２に着脱可能にそれぞれ掛止され、薄板状化粧材１５が前後方向（図１の紙面の左右方向，薄板状化粧材１５の鉛直部分１５ａの板厚方向）に移動不能に固定されるようになっている。
【００２７】
なお、留め条Ｔ２、掛け条Ｋ２の形状・数は必ずしもこれに限定されるものではない。
また、薄板状ベース材１１及び薄板状化粧材１５ともに、留め条Ｔ２、掛け条Ｋ２が、比較的小さい力によって前後方向に容易に弾性変形するように構成されている。したがって、留め条Ｔ２に対して掛け条Ｋ２は、着脱時容易に掛止され、反対に薄板状化粧材１５が上方に引き上げられると、留め条Ｔ２から容易に取り外される。
その点では、プラスチックを押出成形することによって製作されたものが好ましいが、これに限定されるものではない。その他、留め条Ｔ２，Ｔ２、掛け条Ｋ２，Ｋ２は、ともに薄板状化粧材１５への荷重を支える支持部分としての機能を有するが、さらに別に薄板状ベース材１１の水平上面にも、上向きのスペーサＳも突設されている。
【００２８】
さらに、薄板状化粧材１５の後端部は、伸縮によって隙間が生じたり、歩行者の足が引掛かって躓いたりするおそれがないよう、それを覆う床板３５の先端と段差が生じないよう先細に形成されている。
【００２９】
このように構成された框によれば、下地には、単純な合板の水平，鉛直下地材３１，３２がそのまま使用可能である。また、框１０を設置のための特別の窪みは不要である。
また框１０は、建築作業の最終段階で取付けることが出来るため、養生は基本的には不要であり、それに伴う多くの問題（手間が掛かる、危険、損傷、汚染、かび・色むらの発生等）が解消される。
【００３０】
薄板状化粧材１５は、上述のように、持ち上げれば、容易に取外すことが出来、必要に応じて、撤去・交換が容易である。また軽量で、運搬が容易であり、その時他の物体に衝突して、損傷したり、損傷を与えたりすることが少ない。
【００３１】
框１０を構成する薄板状ベース材１１、薄板状化粧材１５として、プラスチックの押出成型品の採用が可能でありそれによってコストが著しく低減される。
【００３２】
（第２実施形態）
次に本発明の第２実施形態例に係る框について図２を参照して説明する。図２はその断面図である。
床板３５の先端縁部に凸実３６が形成されており、薄板状ベース材１１、薄板状化粧材１５の床板３５側の端部がその凸実３６を上下から挾んで、当接すると共に、床板３５の上面と薄板状化粧材１５の上面とは面一になるよう、薄板状化粧材１５の板厚が設定されている。その他は、第１実施形態例と構成は同じである。
【００３３】
それによれば、第１実施形態例の作用効果に加えて、床板３５と薄板状化粧材１５とが完全に面一になり、目違いの発生が防止され、歩行者の足が引掛かって躓いたりするおそれが全くない。
【００３４】
なお、本発明の第２実施形態例では、床板３５の凸実３６の上下を薄板状ベース材１１、薄板状化粧材１５の端部で挾むことで、框の取付けを強固にするようにしたが、これにかえて図３に示すように、薄板状化粧材１５の床板３５側の端部に凹実４１を形成し、薄板状化粧材１５の装着時にはその凹実４１を床板３５の凸実に嵌合するようにしてもよい。薄板状化粧材１５の端部の形状は図３に示すような断面コ字状でも、図４に示すような凹実４２によって断面Ｌ字状であってもよい。また、逆に図５に示すように、床板３５側に凹実３７を形成し、これに嵌合する凸実４３を薄板状化粧材１５の端部に形成するようにしてもよい。
【００３５】
【発明の効果】
請求項１の発明によれば、下地には、単純な床材下地材がそのまま使用可能であり、框の設置のために特別の窪みを設ける必要はない。
框は薄板状ベース材と薄板状化粧材とで構成され、薄板状ベース材を覆う薄板状化粧材は薄板状ベース材に対して着脱可能であり、建築作業の最終段階で取付けることが出来るため、養生は基本的には不要であり、それに伴う手間が掛かる、危険、損傷、汚染、かび・色むらの発生等の多くの問題が解消される。
【００３７】
また請求項１の発明によれば、薄板状化粧材の水平部分の端部が装着時には薄板状ベース材の端部との間で床板に形成された凸実を挾むようにされているので框の取付けを強固にすることができる。また、薄板状化粧材の水平部分の上面は床板の上面と面一になるようにされ段差がないのでつまずく等の問題はない。
【００３８】
請求項２の発明によれば、請求項１の発明の作用効果に加えて、薄板状ベース材の留め部材と留め条に、薄板状化粧材の掛け部材と掛け条とを当接させ、鉛直下方に薄板状化粧材の本体を薄板状ベース材に押し付けると掛け部材と掛け条とが留め部材と留め条にそれぞれ掛止され、簡単に着脱可能に固定することが可能である。
【００３９】
請求項３の発明によれば、請求項２の発明の作用効果に加えて、薄板状ベース材の留め部材の窪みに薄板状化粧材の掛け部材を差し込むことによって、薄板状化粧材の端部を、それに対応する薄板状ベース材の端部に着脱可能に容易に固定することが出来る。
【００４０】
請求項４の発明によれば、請求項２又は３の発明の作用効果に加えて、留め条、掛け条のうち少なくともいずれか一方が、着脱時に容易に弾性変形可能にされているので、薄板状化粧材の薄板状ベース材への固定がさらに容易確実になると共に、取外しも一層容易になる。
【００４１】
請求項５の発明によれば、框を構成する薄板状ベース材および薄板状化粧材としてプラスチックの押出成型品を採用可能であるので、コストが著しく低減される。
【図面の簡単な説明】
【図１】本発明の第１実施形態例を示す断面図である。
【図２】本発明の第２実施形態例を示す断面図である。
【図３】本発明の第２実施形態例の変形例を示す断面図である。
【図４】本発明の第２実施形態例の変形例を示す断面図である。
【図５】本発明の第２実施形態例の変形例を示す断面図である。
【図６】従来例を示す断面図である。
【符号の説明】
１    框
２    受け材
３    床板
１０    框
１１    薄板状ベース材
１１ａ  鉛直部分
１１ｂ  水平部分
１５    薄板状化粧材
１５ａ  鉛直部分
１５ｂ  水平部分
２０    根太
３０    段差部分
３１    水平下地材
３２    鉛直下地材
３５    床板
３６    凸実
３７    凹実
４１    凹実
４２    凹実
４３    凸実
Ｋ１    掛け部材
Ｋ２    掛け条
Ｎ    釘
Ｓ    スペーサ
Ｔ１    留め部材
Ｔ２    留め条
【図１】
0004837159.tif 000002
【図２】
0004837159.tif 000003
【図３】
0004837159.tif 000004
【図４】
0004837159.tif 000005
【図５】
0004837159.tif 000006
【図６】
0004837159.tif 000007